(57)【特許請求の範囲】
【請求項１】
底板（２）と前面板（３）と後面板（４）及び両側面板（５、５）で囲まれた上面開口の収納部（１０）に、シート状物を巻回したロール（Ｒ）が収納され、前記後面板（４）上縁から蓋板（６）及び蓋前面板（７）が順々に連設され、前記前面板（３）の裏面に補強板（１５）を貼付したロール収納箱（１）において、
上記両側面板（５、５）の内面に沿ってそれぞれ折り込まれる一対の連接片（１３、１４）を、上記前面板（３）の側縁及び後面板（４）の側縁にそれぞれ連設し、その前面板（３）の連接片（１３）の上縁部に後面板（４）に向かう突片（２１）を折り目線（ｒ１）を介して設けると共に、後面板（４）の連接片（１４）の上縁部に前面板（３）に向かう突片（２２）を折り目線（ｒ２）を介して設け、前記後面板（４）に向かう突片（２１）の折り目線（ｒ１）は、前面板（３）の連接片（１３）の上縁から底板（２）に向かい下向き傾斜し、前記前面板（３）に向かう突片（２２）の折り目線（ｒ２）は、後面板（４）の連接片（１４）の上縁から前面板（３）に向かい下向き傾斜しており、
前記両連接片（１３、１４）は前記側面板（５）に沿って折り込まれて重ねられ、その重なった外側の連接片（１３）の突片（２１）は折り目線（ｒ１）を介し内側に折り曲げられて内側の連接片（１４）の突片（２２）をその下側から越えて内側斜め下方に突出して上記収納部（１０）に収納されたロール（Ｒ）の端部上方に位置してそのロール（Ｒ）の飛び出しを防止し、越えられた突片（２２）は前記折り目線（ｒ２）を介し内側斜め下方に折り曲げられてその下縁が前記越えた突片（２１）の上面に噛み合って外側の連接片（１３）の突片（２１）の浮き上がりを防止していることを特徴とするロール収納箱。
【請求項２】
上記前面板（３）の長さ方向中程にその長さ方向の長孔（１１）を形成し、その長孔（１１）の上縁中程をさらに上方に抉って指掛け部（１２）を形成したことを特徴とする請求項１に記載のロール収納箱。
【発明の詳細な説明】
【技術分野】
【０００１】
この発明は、食品包装用のラップフィルムや金属箔等のシート状物を巻回したロールを収納し、そのシート状物を必要量引き出して使用するためのロール収納箱に関するものである。
【背景技術】
【０００２】
例えば、従来のラップフィルムの収納箱は、この発明の一実施形態である図１に基づいて説明すると、底板２とその底板２の各辺から立設された前面板３、後面板４及び両側の側面板５、５で囲まれた上面開口の収納部１０とから成り、その収納部１０の開口を覆うように、後面板４の上縁から折目線を介して蓋板６、蓋前面板７が順々に連接された構成であり、前記収納部１０にロールＲが収納される。
【０００３】
このような収納箱１において、出願人は、上記前面板２の上縁にその前面板２の内面に折り込み可能な補強板を連設し、この補強板の上部端縁に、折目線を介して前記補強板の横幅方向に延びる第一固定片を連設するとともに、前記後面板の側縁にも連設片を連設し、この連設片の上部端縁に、折目線を介して前記後面板の横幅方向に延びる第二固定片を連設し、この収納箱を組み立てた状態において、第一固定片は第二固定片の根元方向に起立する一方で、第二固定片は第一固定片の根元方向に起立して、両固定片は互いに重なり合い、ロールが飛び出そうとした際に両固定片の下縁が、このロールの端部外周面に当接してロールＲの飛び出しを防止する発明を提案した（特許文献１、請求項１、図１、図５Ｅ（ｂ）等参照）。
【０００４】
一方、この種の収納箱１からフィルムを引き出した切断端が前面板に引っ付いて掴み難いと言う不満が多い。このため、その掴み易くする要望がある。
【先行技術文献】
【特許文献】
【０００５】
【特許文献１】特開２０１１−６８３８４号公報
【発明の概要】
【発明が解決しようとする課題】
【０００６】
上記特許文献１の発明は、両固定片が重なって、両固定片と前面板及び連設片のなす三角形によってロールの飛び出しを有効に防止する。
しかし、両固定片が重なり合わなかったり、連設片に沿ったりして上記三角形を形成しない場合が生じて、ロールが飛び出す場合が希に生じた。
【０００７】
この発明は、以上の実状の下、ロールの飛び出しを従来とは異なる構成によって防止することを第１の課題、フィルムを引き出した切断端を掴み易くすることを第２の課題とする。
【課題を解決するための手段】
【０００８】
上記の第１の課題を達成するために、この発明は、両側面板の内面に沿って折り込まれる一対の連接片（連設片）を、それぞれ前面板及び後面板に連設し、その連接板の一方にロールの飛び出しを防止する片、他方の連接片に飛び出し防止片に噛み合ってその浮き上がりを防止する片を設けたのである。
このようにすれば、飛び出し防止片の浮き上がりがその防止片によって阻止されるため、ロールの飛び出しを有効に防止できる。
【０００９】
上記の第２の課題を達成するために、この発明は、前面板の長さ方向中程にその長さ方向の長孔を形成し、その長孔の上縁中程をさらに上方に抉って指掛け部を形成したのである。
このような長孔を形成すると、上に抉れた指掛け部の存在によってその指掛け部の上縁部が浮き上がり、その浮き上がり部分に引き出されたシート状物の切断部が位置すると、その切断部も浮き上がる。このため、その指掛け部に指を掛ければ、シート状物を容易に掴むことができる。
【００１０】
第１の課題を達成するこの発明の具体的な構成としては、底板と前面板と後面板及び両側面板で囲まれた上面開口の収納部に、シート状物を巻回したロールが収納され、前記後面板上縁から蓋板及び蓋前面板が順々に連設され、前記前面板の裏面に補強板を貼付したロール収納箱において、両側面板の内面に沿ってそれぞれ折り込まれる一対の連接片を、前面板の側縁及び後面板の側縁にそれぞれ連設し、その前面板の連接片の上縁部に後面板に向かう突片を折り目線を介して設けると共に、後面板の連接片の上縁部に前面板に向かう突片を折り目線を介して設け、後面板に向かう突片の折り目線は、前面板の連接片の上縁から底板に向かい下向き傾斜し、前面板に向かう突片の折り目線は、後面板の連接片の上縁から前面板に向かい下向き傾斜しており、両連接片は側面板に沿って折り込まれて重ねられ、その重なった外側の連接片の突片は折り目線を介し内側に折り曲げられて内側の連接片の突片をその下側から越えて内側斜め下方に突出して収納部に収納されたロールの端部上方に位置してそのロールの飛び出しを防止し、越えられた突片は折り目線を介し内側斜め下方に折り曲げられてその下縁が越えた突片の上面に噛み合って外側の連接片の突片の浮き上がりを防止している構成を採用することができる。
【００１１】
この構成の両突片は、重なった内側の連接片の突片がその突片を超えた外側の連接片の突片を押さえる態様となって、その噛み合いが確実となるため、外側の連接片の突片の内側への突出状態も安定してロールの飛び出しを確実に防止する。
このとき、重なった内側の連接片の突片を折り目線を介して設け、その折り目線を介して内側の連接片の突片を内側に折り曲げて外側の連接片の突片に噛み合わせた構成とすれば、その噛み合わせがより確実となってロールの飛び出しをより確実に防止する。
【００１２】
これらの構成において、突片によるロールの飛び出し防止は、前面板側又は後面板側での突片の噛み合いで行うことが考えられるが、シート状物を引き出す側からロールが抜け出やすいため、前者側で行うことが好ましい。すなわち、上記突片の噛み合わせは、下記実施形態のように前面板側とすることが好ましい。
なお、以上の構成において、前面板の長さ方向中程にその長さ方向の長孔を形成し、その長孔の上縁中程をさらに上方に抉って指掛け部を形成すれば、上記第２の課題を達成することができる。
【００１３】
その第２の課題を達成するこの発明の具体的な構成としては、底板と前面板と後面板及び両側面板で囲まれた上面開口の収納部に、ラップフィルム等のシート状物を巻回したロールが収納され、後面板上縁から蓋板及び蓋前面板が順々に連設され、前面板の裏面に補強板を貼付したロール収納箱において、前面板の長さ方向中程にその長さ方向の長孔を形成し、その長孔の上縁中程をさらに上方に抉って指掛け部を形成した構成を採用することができる。このように、第２の課題を達成する発明は第１の課題を達成する発明の構成には限られない。
【発明の効果】
【００１４】
この発明は、以上のように、従来にない構成によってロールの飛び出しを防止したので、その飛び出し防止を安定して行うことができる。
また、指掛け部を有する長孔を設ければ、シート状物が摘み易くなる。
【図面の簡単な説明】
【００１５】
【図１】この発明に係るラップフィルムの収納箱の一実施形態の蓋を開放した斜視図
【図２】図１の中央部省略平面図
【図３】図１の切断側面図
【図４】同実施形態の作用図
【図５】図１の展開図
【図６Ａ】図１の展開からの組立説明図
【図６Ｂ】同組立説明図
【図６Ｃ】同組立説明図
【図６Ｄ】同組立説明図
【図６Ｅ】同組立説明図
【図６Ｆ】同組立説明図
【図７】同実施形態の作用説明図であり、（ａ）は要部斜視図、（ｂ）は要部平面図
【発明を実施するための形態】
【００１６】
この発明に係るロール収納箱の一実施形態を図１乃至図７に示し、この実施形態のロール収納箱１は、食品包装用のラップフィルムＦを巻回したロールＲを収納するものである。この収納箱１は、図１、図５に示すように、底板２と前面板３と後面板４及び両側面板５、５で囲まれた上面開口の直方体状収納部１０を有し、その収納部１０にロールＲを収納するとともに、前記開口を開閉しうるように前記後面板４上縁から蓋板６を連設している。
【００１７】
この収納箱１は、図５に示す展開図のブランクから、まず、底板２の前後に連設された前面板３及び後面板４をそれぞれ折目線ｓで上方に折り曲げて底板２より立ち上げ、前面板３及び後面板４の両端縁よりそれぞれ外側に向かって連設された一対の連接片１３及び連接片１４を内側へ折り込んで重ねる（図６Ａ〜図６Ｄ）。つぎに、底板２の両端縁より外側に向かって連設された側面板５、５を折目線ｓで上方に折り曲げて底板２より立ち上げ、その側面板５の内面を、前記重ねられた連接片１３、１４の外面に貼付し、上面開口した収納部１０を構成する。
【００１８】
上記蓋板６は、その収納部１０の開口を覆うために、後面板４の上縁から折目線ｓを介して連設され、その蓋板６の先端縁から折目線ｓを介して上記前面板３を覆う蓋前面板７が延びている。また、蓋板６の両端縁には蓋端面板９が連設され、蓋前面板７両端縁に連設された連接片１７がその蓋端面板９の内側に貼付される。
【００１９】
その蓋前面板７には、横方向全長に亘るミシン目による切目線ｃが設けられて、蓋前面板７の切目線ｃより下方が接着部７ａ、３ａを介して前面板３に接着される。このため、切目線ｃで蓋前面板７を上下方向に切り離すことにより、蓋前面板７の切目線ｃから上部、及び蓋板６は、前面板３から離れて、後面板４に対して折目線ｓを介して回動可能となるので、収納部１０の前記開口が、図１の矢印Ａに示すように開閉される。その蓋前面板７の前記切目線ｃを挟んで蓋板６側の切断面には、その切断面から外方へ突出するように切刃Ｂが設けられて、ラップフィルムＦの切断に供される。
【００２０】
上記前面板３の長さ方向（収納されるロールＲの軸方向と同じ方向）中程にその長さ方向に長い長孔１１が形成され、その長孔１１の上縁中程をさらに上方に抉って指掛け部１２が形成されている。この長孔１１の長さや幅及び指掛け部１２の抉り度合は下記フィルムＦの浮き度合や掴み易さ等を考慮して適宜に決定する。
前面板３の上縁にはその長さ方向全長に亘る補強板１５が連設されており、この補強板１５は内側に折り曲げて前面板３の裏面に貼着される。この貼着によって、図１に示すように、この収納箱１の前面に指掛け部１２を有する長孔１１の没部が形成される。このため、図１に示すように、前記指掛け部１２の形成部分が長孔１１の他の部分に比べて前面板３の上縁までの距離Ｌが短くなっていることにより、図４（ｂ）に示すように、その指掛け部１２が浮き上がり、この浮き上がりに沿って切断したフィルムＦも浮き上がる。このため、この指掛け部１２に指を掛けることによって、フィルムＦを容易に掴むことができる。
【００２１】
さらに、底板２の両端縁から連設された側面板５には、図２及び図３に示すように、その上縁に切り折目線ｔを介して上方へ延びる側片１６が設けられ（図５参照）、その折目線ｔを介して側片１６を内側に折り曲げ、この折り曲げられた側片１６によって、ロールＲの収納部１０からの飛び出しが少なからず防止される。
【００２２】
上記前面板３の両側の連接片１３の上縁（図５における補強板１５側の縁）に前面板３との上縁連接部から底板２に向かい下向き傾斜する折り目線ｒ１を介して抜け止め片（ロール飛び出し防止用突片）２１が設けられていると共に、後面板４の両側の連接片１４の上縁先端にその先端から突出する押さえ片（ロール飛び出し防止用突片の浮き上がり防止用突片）２２が設けられている。この押さえ片２２も連接片１４の上縁から前面板３に向かう下向き傾斜の折り目線ｒ２を介して内側に折り曲げ可能となっている。
【００２３】
この両連接片１３、１４を、前面板３側の連接片１３を外側にして（後面板４側の連接片１４を内側にして）、図６Ｄ〜同Ｆに記載のように、前面板３又は後面板４から内側に折り込んで重ねると、抜け止め片２１と押さえ片２２もその押さえ片２２を内側にして重なる。
【００２４】
この状態（図６Ｅ又は同Ｆ）において、収納部１０内にロールＲを入れ、その後、抜け止め片２１を内側に押し込むことによって、図７に示すように、その抜け止め片２１は押さえ片２２を越え、その抜け止め片２１の上面に押さえ片２２の下縁が係止した両片２１、２２が噛み合った状態となる。この噛み合い状態は、抜け止め片２１がロールＲの端部の上方に位置してそのロールＲの抜け出し（飛び出し）を防止する。その防止は抜け止め片２１にロールＲの巻芯が当たることによって行われる（図４（ａ）から同（ｂ）参照）。
このとき、図７に示すように、抜け止め片２１は、底板２に向かい傾斜する折り目線ｒ１を介して内側に折り曲げられて傾斜して突出し、押さえ片２２はその傾斜した抜け止め片２１の上面に同じく傾斜した下縁が当接して噛み合うため、その噛み合いは強固である。また、その押さえ片２２を折り目線ｒ２を介してさらに内側に倒せば（図７（ａ）の鎖線状態）、その噛み合いもより強固となる。
このように、両片２１、２２の噛み合い状態は強固であって、下からの力に強いため、ロールＲの飛び出しを有効に阻止する。
【００２５】
上記実施形態は、抜け止め片２１、押さえ片２２の噛み合いを前面板３側で行ったが、後面板４側で行っても良い。このとき、上記連接片１３、１４の側面板５の幅方向の長さ（折り曲げ長さ）度合は逆となる。
また、前面板３の連接片１３を内側、後面板４の連接片１４を外側に重ねる態様とすることができる。この場合、連接片１３の突片２１が押さえ片、連接片１４の突片２２が抜け止め片となり、その両突片の形状も同一の作用がなされるようにする。
この発明に係るシート状物としては、ラップフィルムＦ以外に、アルミホイルなどの金属箔、クッキングペーパー等のシート状物も採用することができ、それらのロールＲは、巻芯を用いなくても良い。
【符号の説明】
【００２６】
１ 収納箱
２ 底板
３ 前面板
４ 後面板
５ 側面板
６ 蓋板
７ 蓋前面板
１０ 収納部
１１ 長孔
１２ 括れた指掛け部
１３、１４ 連接片
１５  補強板
２１  抜け止め片（ロール飛び出し防止用突片）
２２  押さえ片（ロール飛び出し防止用突片の浮き上がり防止用突片）
ｒ１、ｒ２  折り目線
Ｆ フィルム
Ｒ ロール
【図１】
0006362990.tif 000002
【図２】
0006362990.tif 000003
【図３】
0006362990.tif 000004
【図４】
0006362990.tif 000005
【図５】
0006362990.tif 000006
【図６Ａ】
0006362990.tif 000007
【図６Ｂ】
0006362990.tif 000008
【図６Ｃ】
0006362990.tif 000009
【図６Ｄ】
0006362990.tif 000010
【図６Ｅ】
0006362990.tif 000011
【図６Ｆ】
0006362990.tif 000012
【図７】
0006362990.tif 000013